(57)【要約】【課題】光ディスク装置単体を交換した際に、ユーザがすぐに自分の好みの設定で使うことができる光ディスク装置内蔵表示装置を提供する。【解決手段】一体で取り外し可能な光ディスク装置部２と、本体側記憶装置１５とを備え、前記光ディスク装置部は、前記光ディスク装置部の設定情報を記憶する光ディスク装置部記憶装置２４を備え、前記本体側記憶装置には、前記光ディスク装置部記憶装置が記憶する設定情報を同じ設定情報を記憶し、光ディスク装置部が再接続された際、再接続された光ディスク装置部の光ディスク装置部記憶装置における設定情報を前記本体側記憶装置が記憶する設定情報に置き換える。【選択図】図１
2011100510.tif 000002
【特許請求の範囲】
【請求項１】
一体で取り外し可能な光ディスク装置部と、
本体側記憶装置とを備える光ディスク装置内蔵表示装置であって、
前記光ディスク装置部は、前記光ディスク装置部の設定情報を記憶する光ディスク装置部記憶装置を備え、
前記本体側記憶装置は、前記光ディスク装置部記憶装置が記憶する設定情報と同じ設定情報を記憶し、
光ディスク装置部が再接続された際、再接続された光ディスク装置部の光ディスク装置部記憶装置における設定情報を前記本体側記憶装置が記憶する設定情報に置き換えることを特徴とする光ディスク装置内蔵表示装置。
【請求項２】
前記本体側記憶装置に設定情報を記憶するかどうか選択可能であることを特徴とする請求項１に記載の光ディスク装置内蔵表示装置。
【請求項３】
前記本体側記憶装置に記憶された設定情報を適用できない光ディスク装置部が接続された場合、光ディスク装置部の設定が必要なことを表示することを特徴とする請求項１または２に記載の光ディスク装置内蔵表示装置。
【請求項４】
前記本体側記憶装置に記憶された設定情報を適用できない光ディスク装置部が接続された場合、デフォルトの設定情報を使用することを特徴とする請求項１または２に記載の光ディスク装置内蔵表示装置。
【請求項５】
前記光ディスク装置部の設定情報は、録画用設定、再生用設定、ＬＡＮ設定の少なくともいずれか１つを含むことを特徴とする請求項１乃至４のいずれか１項に記載の光ディスク装置内蔵表示装置。
【請求項６】
光ディスク装置内蔵表示装置において光ディスク装置部の設定情報を管理する方法であって、
前記光ディスク装置部の設定情報を前記光ディスク装置部が備える光ディスク装置部記憶装置に記憶するステップと、
前記設定情報を本体側記憶装置に記憶するステップと、
前記光ディスク装置部が取り外された後に接続されたことを検知するステップと、
前記本体側記憶装置に記憶された前記設定情報を接続された光ディスク装置部に送信するステップと、
送信された前記設定情報を前記光ディスク装置部記憶装置に記憶するステップとを含むことを特徴とする方法。
【請求項７】
請求項６に記載の方法をコンピュータに実行させるプログラム。
【請求項８】
請求項７に記載のプログラムを格納したコンピュータ読み取り可能な記録媒体。
【発明の詳細な説明】
【技術分野】
【０００１】
本発明は、光ディスク装置内蔵表示装置に関する。
【背景技術】
【０００２】
近年、ブルーレイディスク等の光ディスクに番組等を録画することができる光ディスク装置を内蔵したテレビジョン受像機等の表示装置が普及してきている。
【０００３】
通常、このような光ディスク装置内蔵表示装置は、修理や交換などのために光ディスク装置部を単体で取り外せるようになっている。また、表示装置の本体側と光ディスク装置部側のいずれか一方が故障した際にも他方が独立して動作できるように、いずれの側も、制御を行うＣＰＵと、設定情報を記憶する記憶装置とを備えるような構成をとることが多い。
【０００４】
このような光ディスク装置内蔵表示装置では、光ディスク装置部単体を取り出して修理等を行った際、以前と同じ動作にするために初期設定を再び行わなければならず、手間が掛かるという問題があった。
【０００５】
特許文献１には、光ディスクに対してデータ記録を実施するために必要となる記録用設定情報を必要なときに外部から取得できるようにした、記録用設定情報設定方法及びプログラム、並びにデータ記録再生装置が記載されている。
【先行技術文献】
【特許文献】
【０００６】
【特許文献１】特開２００９−１５９１９号公報
【発明の概要】
【発明が解決しようとする課題】
【０００７】
特許文献１に記載の技術は、データ格納用のサーバが必要であり、光ディスク記録再生装置の装置ＩＤと光ディスクのメディアＩＤとによる照合のステップが必要となる等、手間が掛かるという問題があった。
【０００８】
本発明はこのような実情に鑑みてなされたものであり、光ディスク装置単体を交換した際に、ユーザがすぐに自分の好みの設定で使うことができる光ディスク装置内蔵表示装置を提供する。
【課題を解決するための手段】
【０００９】
本発明の光ディスク装置内蔵表示装置は、一体で取り外し可能な光ディスク装置部と、本体側記憶装置とを備える光ディスク装置内蔵表示装置であって、前記光ディスク装置部は、前記光ディスク装置部の設定情報を記憶する光ディスク装置部記憶装置を備え、前記本体側記憶装置は、前記光ディスク装置部記憶装置が記憶する設定情報と同じ設定情報を記憶し、光ディスク装置部が再接続された際、再接続された光ディスク装置部の光ディスク装置部記憶装置における設定情報を前記本体側記憶装置が記憶する設定情報に置き換えることを特徴とする。
【００１０】
前記本体側記憶装置に設定情報を記憶するかどうか選択可能であってもよい。
【００１１】
前記本体側記憶装置に記憶された設定情報を適用できない光ディスク装置部が接続された場合、光ディスク装置部の設定が必要なことを表示してもよい。
【００１２】
前記本体側記憶装置に記憶された設定情報を適用できない光ディスク装置部が接続された場合、デフォルトの設定情報を使用するようにしてもよい。
【００１３】
前記光ディスク装置部の設定情報は、録画用設定、再生用設定、ＬＡＮ設定の少なくともいずれか１つを含んでもよい。
【発明の効果】
【００１４】
本発明によれば、光ディスク装置単体を取り出して修理等を行った際でも、ユーザがすぐに自分の好みの設定で使うことができる。
【図面の簡単な説明】
【００１５】
【図１】本発明による光ディスク装置内蔵表示装置の構成の一例を示すブロック図である。
【図２】設定情報の反映の手順を説明するフローチャートである。
【発明を実施するための形態】
【００１６】
以下、図面を参照して本発明の実施の形態について説明する。
本発明による光ディスク装置内蔵表示装置は、例えば、ブルーレイディスクやＤＶＤ等の光ディスクに番組を録画したり、光ディスクに録画された番組を再生したりすることができる光ディスク装置を内蔵した、液晶テレビジョン装置等の表示装置である。図１は、本発明による光ディスク装置内蔵表示装置の構成の一例を示すブロック図である。光ディスク装置内蔵表示装置は、テレビ部１と、光ディスク装置部２とを備える。
【００１７】
テレビ部１は、テレビ部動作部１１と、リモコン受光部１２と、テレビ部ＣＰＵ１３と、テレビ部通信制御部１４と、テレビ部記憶装置１５とを備える。テレビ部動作部１１は、主に、光ディスク装置内蔵表示装置をテレビジョン受像機として動作させる機能を有する部分であり、表示部や、チューナ部等を含む。リモコン受光部１２は、リモコン装置（図示せず）からの指示信号を受信し、テレビ部ＣＰＵ１３に伝える。テレビ部ＣＰＵ１３は、光ディスク装置内蔵表示装置全体の動作を制御する。テレビ部通信制御部１４は、後述する光ディスク装置部２の光ディスク装置部通信制御部２３と通信する。この通信では、テレビ部ＣＰＵ１３による光ディスク装置部２の制御や、映像データ及び音声データの送受信、後述する光ディスク装置部２の設定情報の送受信などが行われる。テレビ部記憶装置１５は、光ディスク装置部２の設定情報を記憶する。
【００１８】
光ディスク装置部２は、ブルーレイディスクやＤＶＤ等の光ディスクに番組等を録画したり、光ディスクに録画された番組を再生したりする機能を有する部分である。光ディスク装置部２は、光ディスク装置部動作部２１と、光ディスク装置部ＣＰＵ２２と、光ディスク装置部通信制御部２３と、光ディスク装置部記憶装置２４とを備える。光ディスク装置部動作部２１は、光ディスクを載置するトレー、トレーの駆動機構、光ディスクの回転駆動機構、光ピックアップ等、通常光ディスク装置が備える構成を含む。光ディスク装置部ＣＰＵ２２は、光ディスク装置通信制御部２３を経て受けたテレビ部ＣＰＵ１３からの指示に応じて光ディスク装置部２全体を制御する。光ディスク装置部通信制御部２３は、テレビ部ＣＰＵ１３による光ディスク装置部２の制御や、映像データ及び音声データの送受信、光ディスク装置部２の設定情報の送受信などを行うために、テレビ部１のテレビ部通信制御部１４と通信を行う。光ディスク装置部記憶装置２４は、光ディスク装置部２における種々の設定情報を記憶する。光ディスク装置部２は、光ディスク装置部記憶装置２４に記憶された設定情報にしたがって、録画、再生、ＬＡＮによる通信などの動作を行う。
【００１９】
光ディスク装置部記憶装置２４が記憶する光ディスク装置部２の設定情報は、例えば、録画レート、音声設定などの録画用設定や、音声言語設定、字幕言語設定などの再生用設定や、ＩＰ、ＤＳＮなどのＬＡＮ設定や、その他必要な設定についての情報を含む。これらの設定情報は、例えば、設定メニュー画面を表示し、ユーザによるリモコン装置の操作で項目を選択させることによって設定する。例えば言語設定など、テレビ部１における設定情報を光ディスク装置部２の設定情報として流用できるものがある場合、テレビ部１における設定情報を光ディスク装置部２に送信し、光ディスク装置部記憶装置２４に記憶してもよい。
【００２０】
光ディスク装置部２の設定情報は、テレビ部１のテレビ部記憶装置１５にも記憶する。光ディスク装置部２の設定情報を変更する際には、光ディスク装置部記憶装置２４に記憶された設定情報を更新すると共に、テレビ部記憶装置１５に記憶された設定情報も更新する。このようなテレビ部記憶装置１５への光ディスク装置部２の設定情報の記憶の有無は、ユーザ設定によって任意に選択できるようにしてもよい。例えば、光ディスク装置部２の設定情報を変更するたびに、テレビ部１のテレビ部記憶装置１５にも記憶するかどうか、例えばＯＳＤなどの画面表示をしてリモコン操作などでユーザに選択させるようにしてもよい。また、光ディスク装置部２を取り外す前に、任意で設定情報をテレビ部記憶装置１５に記憶するようにしてもよい。
【００２１】
光ディスク装置部２は、修理などの際、光ディスク装置内蔵表示装置から単体で取り出し、交換することが可能である。また、光ディスク装置部２は、ユーザが交換可能なものであってもよい。テレビ部ＣＰＵ１３が、光ディスク装置部２が取り外された後、（修理した、新たな、あるいは同じ）光ディスク装置部２が再度接続されたことを検知すると、テレビ部記憶装置１５に記憶された設定情報を光ディスク装置部２に送信する。光ディスク装置ＣＰＵ２２は、受信した設定情報を光ディスク装置部記憶装置２４に光ディスク装置部２の設定情報として記憶する。このようにして、光ディスク装置部２が交換された際、交換前と同じ設定情報で光ディスク装置部２の機能を使用することが可能になる。
【００２２】
光ディスク装置部２への設定情報の送信は、例えば次のように行われる。光ディスク装置部２が光ディスク装置内蔵表示装置に接続され、電源が供給された状態になると、テレビ部ＣＰＵ１３は、光ディスク装置部２のモデル名（ＩＤ）をシリアル通信によって取得する。テレビ部ＣＰＵ１３は、取得したモデル名（ＩＤ）の光ディスク装置部２がテレビ部記憶装置１５に記憶された設定情報を適用できるものであるかどうかを判断し、適用できるものであるならば、設定情報を一項目ずつ光ディスク部２にシリアル通信で送信する。例えば、接続された光ディスク装置部２が、バージョンアップ等で、以前に接続されていた光ディスク装置部２と異なるもので、テレビ部記憶装置１５に記憶された設定情報を適用できないものであるとテレビ部ＣＰＵ１３が判断した場合、例えば、再度設定することが必要なことを通知するＯＳＤ表示などをしてもよいし、デフォルトの設定情報をそのまま使用するようにしてもよいし、再設定かデフォルト値をそのまま使用するかユーザが選択できるようにしてもよい。設定情報を一部のみ適用できる場合、適用できる設定情報のみを光ディスク装置部２に送信するようにしてもよい。光ディスク装置部２が接続された際には、そのモデル名（ＩＤ）もテレビ部記憶装置１５に記憶し、次に光ディスク装置部２が再接続された際に取得したモデル名（ＩＤ）と比較し、同じ場合は同じ設定情報が適用できると判断するようにしてもよい。
【００２３】
図２は、図１に示す光ディスク装置内蔵表示装置における設定情報の反映の手順を説明するフローチャートである。ステップＳ１０１において、光ディスク装置部２の設定が行われ、設定情報が光ディスク装置部記憶装置２４に記憶される。ステップＳ１０２において、ステップＳ１０１で設定された設定情報がテレビ部記憶装置１５に反映される。上述したように、このような反映を行う際にＯＳＤなどでユーザに通知し、反映を行うか否かをユーザが選択できるようにしてもよい。また、このような反映は、光ディスク装置部２の設定が変更されるたびに行われる。
【００２４】
ステップＳ１０３において、光ディスク装置部２が取り外される。ステップＳ１０４において、光ディスク装置部２が接続される。ステップＳ１０４で接続される光ディスク装置部２は、ステップＳ１０３で取り外された、すなわちこれまで接続されていた光ディスク装置部２と同じものであっても違うものであってもよい。
【００２５】
ステップＳ１０５において、テレビ部ＣＰＵ１３は、接続された光ディスク装置部２のモデル名（ＩＤ）を取得し、取得したモデル名（ＩＤ）の光ディスク装置部２がテレビ部記憶装置１５に記憶された設定情報を適用できるものであるかどうかを判断し、適用できる場合はステップＳ１０６に進み、適用できない場合はステップＳ１０７に進む。
【００２６】
ステップＳ１０６において、テレビ部ＣＰＵ１３は、テレビ部記憶装置１５に記憶された光ディスク装置部２の設定情報を、テレビ部通信制御部１４を経て光ディスク部２に送信する。光ディスク装置部ＣＰＵ２２は、テレビ部１から送信された設定情報を光ディスク装置部通信制御部２３を経て受信し、光ディスク装置部記憶装置２４に記憶し、反映動作を終了する。
【００２７】
ステップＳ１０７において、テレビ部ＣＰＵ１３は、ＯＳＤ表示などによって光ディスク装置部２の再設定が必要なことをユーザに通知する。また、上述したように、デフォルトの設定値を使用するようにしてもよい。
【００２８】
上記実施の形態では、光ディスク装置部２は光ディスク装置部ＣＰＵ２２を備えているが、テレビ部ＣＰＵ１３が光ディスク装置部２のすべての制御を行うようにし、光ディスク装置部ＣＰＵ２２を省くような構成にしてもよい。
【００２９】
以上、本発明を、光ディスク装置内蔵表示装置を例として説明したが、本発明は、光ディスク装置内蔵表示装置だけでなく、ハードディスク装置等の他の記録媒体を用いる記録装置を内蔵した表示装置にも適用可能である。
【００３０】
また、本発明は、記録装置を内蔵するものだけでなく、ＨＤＭＩ等の制御情報を伝送できる接続手段で外部記録装置を接続できる表示装置にも適用可能である。この場合、外部記録装置における設定情報を表示装置側が有する記憶装置にも記憶しておき、外部記録装置が（再）接続された際、表示装置側の記憶装置が記憶する設定情報を接続された外部記録装置に送信し、接続された外部記録装置の設定情報として用いるようにする。
【産業上の利用可能性】
【００３１】
本発明は、光ディスク装置内蔵表示装置に利用可能である。
【符号の説明】
【００３２】
１  テレビ部
２  光ディスク装置部
１１  テレビ部動作部
１２  リモコン受光装置
１３  テレビ部ＣＰＵ
１４  テレビ部通信制御部
１５  テレビ部記憶装置
２１  光ディスク装置部動作部
２２  光ディスク装置部ＣＰＵ
２３  光ディスク装置部通信制御部
２４  光ディスク装置部記憶装置
【図１】
2011100510.tif 000003
【図２】
2011100510.tif 000004